(57)【要約】 【課題】  低コストで壁面の汚れを防止する。【解決手段】  起立体（１２）と、起立体（１２）の上端部（１２ａ）に載置される笠材（１４）と、起立体（１２）と笠材（１４）の間に配置される水切り部材（１６）を有する。水切り部材（１６）が、起立体（１２）と笠材（１４）に支持される支持部（１６ａ）と、支持部（１６ａ）に接続された降下部（１６ｂ）を有する。降下部（１６ｂ）が笠材（１４）から離れて下方に延在している。笠材（１４）に付着した水（Ｗ）が降下部（１６ｂ）を伝って下方に落ちる。【選択図】  図１
2006299555.tif 000002
【特許請求の範囲】
【請求項１】
起立体と、起立体の上端部に載置される笠材と、起立体と笠材の間に配置される水切り部材を有し、水切り部材が、起立体と笠材に支持される支持部と、支持部に接続された降下部を有し、降下部が笠材から離れて下方に延在していて、笠材に付着した水が水切り部材の降下部を伝って下方に落ちる構成にしたことを特徴とする構造体。
【請求項２】
水切り部材が、厚さ１ｍｍ以下の薄板で構成されていることを特徴とする請求項１に記載の構造体。
【請求項３】
水切り部材が、透明なプラスチック材料からなることを特徴とする請求項１又は２に記載の構造体。
【請求項４】
降下部に切込みが入れられていて、支持部が所定方向に曲げられて配置されていることを特徴とする請求項１〜３のいずれか１項に記載の構造体。
【発明の詳細な説明】
【技術分野】
【０００１】
本発明は、水切り部材を用いた構造体に関する。
【背景技術】
【０００２】
従来、塀や壁等の構造体の上端部に笠材を載置することは公知である。
【０００３】
塀や壁等の構造体の上端部に笠材を載置する場合、笠材に付着した水が、笠材の下面を伝って塀や壁等の壁面に流れることがある。とくに、レンガ、タイル、石材などの笠材は長さが短いため、その目地部分から水が伝って塀や壁等の壁面に流れる。この場合、塀や壁等の壁面が汚れる。
【０００４】
特許文献１には、ブロック塀の雨水による汚損を防止するブロック塀用笠材が示されている。
【特許文献１】特開平７−９１１１３号公報
【発明の開示】
【発明が解決しようとする課題】
【０００５】
笠材を載置した塀や壁等の壁面の汚れを防ぐのは困難であった。
【０００６】
特許文献１に記載されたブロック塀用笠材は、笠材本体を防水部材として用いているため、笠材の形状は限定されたものとなる。
【０００７】
本発明は、低コストで壁面の汚れを防止できる、水切り部材を用いた構造体を提供することを目的としている。
【課題を解決するための手段】
【０００８】
本発明の解決手段を例示すると、以下のとおりである。
【０００９】
（１）起立体と、起立体の上端部に載置される笠材と、起立体と笠材の間に配置される水切り部材を有し、水切り部材が、起立体と笠材に支持される支持部と、支持部に接続された降下部を有し、降下部が笠材から離れて下方に延在していて、笠材に付着した水が水切り部材の降下部を伝って下方に落ちる構成にしたことを特徴とする構造体。
【００１０】
（２）水切り部材が、厚さ１ｍｍ以下の薄板で構成されていることを特徴とする前述の構造体。
【００１１】
（３）水切り部材が、透明なプラスチック材料からなることを特徴とする前述の構造体。
【００１２】
（４）降下部に切込みが入れられていて、支持部が所定方向に曲げられて配置されていることを特徴とする前述の構造体。
【発明の効果】
【００１３】
本発明によれば、低コストで壁面の汚れを防止できる。例えば、水切り部材をプラスチック板で構成すれば、おおむね市販のローコストな材料を使用した場合に１枚で最長２．４ｍの長さのものが製作できる。長さが足りない場合には、水切り部材を重ね合わせて実質的に延長することができ、長さが短い場合には、水切り部材をカットして利用することができる。
【００１４】
水切り部材が、厚さ１ｍｍ以下の薄板で構成されていると、降下部の作成が容易であるとともに、構造体の外観を大きく変更することなく水切り部材を配置できる。
【００１５】
水切り部材が、透明なプラスチック材料からなると、構造体の外観を損なうことなく水切り部材を配置できる。
【００１６】
降下部に切込みが入れられることにより支持部が所定方向（たとえば鉛直方向や水平方向）に曲げられて配置されると、上端部が鉛直方向に曲がった起立体に対しても水切り部材を連続的に配置できる。
【発明を実施するための最良の形態】
【００１７】
本発明の最良の形態による構造体は、起立体と、起立体の上端部に載置される笠材と、起立体と笠材の間に配置される水切り部材を有する。水切り部材は、起立体と笠材に支持される支持部と、支持部に接続された降下部を有する。降下部が笠材から離れて下方に延在していて、笠材に付着した水が降下部を伝って下方に落ちる構成になっている。
【００１８】
起立体は、好適には壁として構成されるが、塀、垣、門やその他の建物や敷地の周囲または内部を区切る仕切り、囲い、隔て等とすることができる。
【００１９】
笠材は、起立体の上にかぶせるレンガ、タイル、石材、又は種々の塊状物とすることができる。
【００２０】
降下部は、支持部の片側に接続される構成が好ましい。もっとも、本発明は支持部の両側に接続された降下部を有する水切り部材の構成を含む。
【００２１】
好ましくは、水切り部材が、厚さ１ｍｍ以下の薄板で構成される。水切り部材は、板（プレート）の他、シート、フィルム等、水を切る（下方に落とす）ことができる種々の材料で構成され得る。
【００２２】
好ましくは、水切り部材が、透明なプラスチック材料からなる。
【００２３】
好ましくは、降下部に切込みが入れられることにより支持部が鉛直方向に曲げられて配置されている。
【００２４】
好ましくは、支持部に切込みが入れられることにより降下部が水平方向に曲げられて配置されている。
【００２５】
好ましくは、支持部と降下部のなす角度が７０°以上１５０°以下、更に好ましくは９０°以上１３５°以下である。好ましくは、水切り材料が透明なプラスチック板で構成され、プラスチック板を折り曲げて支持部と降下部を前記角度にする。なお、本発明は水切り板の一部を湾曲させて支持部と降下部を形成する場合を含む。
【００２６】
好ましくは、降下部の水平方向における最も外側の端部が、笠材の水平方向における最も外側の端部より内側に位置する。降下部の水平方向における最も外側（起立体から離れる方向）の端部は、例えば降下部の開放された端部とする場合や、降下部が内側（起立体に近づく方向）に曲げられている場合の曲げられた部分とする場合がある。
【００２７】
好ましくは、降下部が、起立体の前面（正面）と、笠材の下面と、笠材に接して笠材の下面に対して５°以上４５°以下の傾斜角を有する平面とで囲まれる領域内に位置する。
【００２８】
更に、本発明の最良の形態による水切り部材は、起立体と、起立体の上端部に載置される笠材との間に配置される水切り部材であって、起立体と笠材に支持される支持部と、支持部に接続された降下部を有し、支持部と降下部のなす角度が７０°以上１５０°以下である。或いは、本発明の別の最良の形態による水切り部材は、起立体と、起立体の上端部に載置される笠材との間に配置される水切り部材であって、起立体と笠材に支持される支持部と、支持部に接続された降下部を有し、支持部と降下部のなす角度が９０°以上１３５°以下である。
【００２９】
支持部と降下部のなす角度が７０°以上１５０°以下であると、笠材に付着した水が延長部分を伝ってスムーズに下方に落ちる。とくに、支持部と効果部のなす角度が９０°以上１３５°以下であると、笠材に付着した水が延長部分を伝ってよりスムーズに下方に落ちる。
【００３０】
降下部の水平方向における最も外側の端部が、笠材の水平方向における最も外側の端部より内側に位置すると、構造体の外観を損なうことなく水切り部材を配置できる。
【００３１】
降下部が、起立体の前面と、笠材の下面と、笠材に接触して笠材の下面に対して５°以上４５°以下の傾斜角を有する平面とで囲まれる領域内に位置すると、水切り部材が笠材で実質的に隠れるので、外観上良好な構造体を提供できる。
【実施例】
【００３２】
以下、図面を参照して本発明の実施例を説明する。
【００３３】
図１は、本発明による、水切り部材を用いた構造体の一例を示す概略側面図である。
【００３４】
塀構造１０は、塀体１２と、塀体１２の上端部に載置される笠石１４と、塀体１２と笠石１４の間に配置される水切り部材１６を有する。塀構造１０は、本発明による水切り部材を用いた構造体の典型例である。塀体１２は、本発明における起立体の典型例である。笠石１４は、本発明における笠材の典型例である。なお、図１においては、理解し易くするため塀体１２、笠石１４、及び水切り部材１６は離れて描かれているが、実際にはこれらは互いに接触して配置される。
【００３５】
図２は、水切り部材の一例を示す上面図である。図３は、図２の水切り部材の正面図である。図４は、図２の水切り部材の側面図である。
【００３６】
水切り部材１６は、厚さ１ｍｍ以下の透明なプラスチック板で構成される。
【００３７】
水切り部材１６は、塀体１２と笠石１４に支持される支持部１６ａと、支持部１６ａに接続された降下部１６ｂを有する。降下部１６ｂは、笠材１４から離れて下方に延在している。笠材１４に付着した水が降下部１６ｂを伝って下方に落ちる構成になっている。
【００３８】
寸法の一例を挙げると、支持部１６ａの長手方向の長さｌ１は１８００ｍｍ、横方向の長さｌ２は４０ｍｍである。降下部１６ｂの長手方向の長さｌ３は１８００ｍｍ、横方向の長さｌ４は７ｍｍである。
【００３９】
図５は、水切り部材の取付状態の一例を示す概略側面図である。
【００４０】
塀体１２の上端部１２ａに水切り部材１６を接着する。２つの水切り部材１６を、その支持部１６ａを互いに内向きにし、降下部１６ｂを互いに外向きにして、塀体１２の上端部１２ａに接着し、その上に笠石１４を固定する。こうして図１に示されるような塀構造１０を製造する。
【００４１】
図６は、図１の構造体における水の流れの一例を示す説明図である。
【００４２】
笠石１４に雨等により矢印Ｗで表された水が付着した場合は、水は笠石１４の上面１４ａ、側面１４ｂ、及び下面１４ｃを伝って水切り部材１６の降下部１６ｂに到達する。降下部１６ｂは下方に向いているため、水は降下部１６ｂを伝って下方に落ちるようになっている。
【００４３】
図７は、水切り部材の別の例を示す概略側面図である。図８は、水切り部材の更に別の例を示す概略側面図である。
【００４４】
図７に示された水切り部材２６は、図示省略された起立体と笠材に支持される支持部２６ａと、支持部２６ａに接続された降下部２６ｂを有する。支持部２６ａと降下部２６ｂのなす角度α１が７０°になっている。
【００４５】
図８に示された水切り部材３６は、図示省略された起立体と笠材に支持される支持部３６ａと、支持部３６ａに接続された降下部３６ｂを有する。支持部３６ａと降下部３６ｂのなす角度α２が１５０°になっている。
【００４６】
このように、支持部と降下部のなす角度が７０°以上１５０°以下であるのが好ましい。
【００４７】
図９は、水切り部材の別の例を示す概略側面図である。図１０は、水切り部材の更に別の例を示す概略側面図である。
【００４８】
図９に示された水切り部材４６は、図示省略された起立体と笠材に支持される支持部４６ａと、支持部４６ａに接続された降下部４６ｂを有する。支持部４６ａと降下部４６ｂのなす角度α３が９０°になっている。
【００４９】
図１０に示された水切り部材５６は、図示省略された起立体と笠材に支持される支持部５６ａと、支持部５６ａに接続された降下部５６ｂを有する。支持部５６ａと降下部５６ｂのなす角度α４が１３５°になっている。
【００５０】
このように、支持部と降下部のなす角度が９０°以上１３５°以下であるのが更に好ましい。
【００５１】
図１１は、水切り部材の別の使用例を示す概略正面図である。図１２は、図１１の水切り部材の概略斜視図である。
【００５２】
長い壁面６２は、本発明における起立体の一例である。水切り部材６６は、長い壁面６２と図示省略された笠材に支持される支持部６６ａと、支持部６６ａに接続された降下部６６ｂを有する。なお、長い壁面６２の上端部６２ａに載置される笠材は図示省略されている。
【００５３】
長い壁面６２の長さＬが長い場合、例えばＬが２．４ｍを超える場合には、２つの水切り部材６６を重ね合わせて配置することができる。
【００５４】
図１３〜図１４は、水切り部材の更に別の使用例を示す。
【００５５】
図１３は、壁の概略正面図である。図１４は、水切り部材の概略斜視図である。
【００５６】
壁７２は、本発明における起立体の一例である。壁７２の上端部７２ａは鉛直方向に曲がった面で構成されている。
【００５７】
水切り部材７６は、壁７２と図示省略された笠材に支持される支持部７６ａと、支持部７６ａに接続された降下部７６ｂを有する。降下部７６ｂの任意の位置にハサミ、カッター等で切込み７６ｃが入れられている。降下部７６ｂに切込み７６ｃが入れられることにより、支持部７６ａが鉛直方向に曲げられて壁７２の上端部７２ａに配置され得る。
【００５８】
図１５〜図１６は、水切り部材の更に別の使用例を示す。
【００５９】
図１５は、壁の概略平面図である。図１６は、水切り部材の概略斜視図である。
【００６０】
壁８２は、本発明における起立体の一例である。壁８２の上端部８２ａは水平方向に曲がった弧状の面で構成されている。
【００６１】
水切り部材８６は、壁８２と図示省略された笠材に支持される支持部８６ａと、支持部８６ａに接続された降下部８６ｂを有する。支持部８６ａの任意の位置にハサミ、カッター等で切込み８６ｃが入れられている。支持部８６ｂに切込み８６ｃが入れられることにより、支持部８６ａが水平方向に曲げられて壁８２の上端部８２ａに配置され得る。
【００６２】
図１７は、降下部の位置を説明するための説明図である。
【００６３】
降下部１６ｂの水平方向における最も外側（塀体１２から離れる方向）の端部が、笠材１４の水平方向における最も外側の端部より内側（塀体１２に近づく方向）に位置する。図１７においては、降下部１６ｂの外側の表面が、笠材１４の側面１４ｂより内側に位置する。
【００６４】
更に、降下部１６ｂが、塀体１２の前面１２ｂと、笠材１４の下面１４ｃと、笠材１４に接して笠材１４の下面１４ｃに対して５°以上４５°以下の傾斜角βを有する平面１８とで囲まれる領域Ａ内に位置する。
【００６５】
図１８は、本発明による水切り部材を用いた構造体の別の例を示す側断面図である。
【００６６】
塀構造９０は、塀体９２と、塀体９２の上端部９２ａに載置される笠石９４と、塀体９２と笠石９４の間に配置される水切り部材９６を有する。塀構造９０は、本発明による水切り部材を用いた構造体のもう１つの典型例である。塀体９２は、本発明における起立体の典型例である。笠石９４は、本発明における笠材の典型例である。
【００６７】
水切り部材９６は、壁９２と笠材９４に支持される支持部９６ａと、支持部９６ａに接続された降下部９６ｂを有する。降下部９６ｂは横断面が曲がって構成されていて、曲面を有する。この水切り部材９６は、上端部が鉛直方向に曲がった面で構成される壁に対して、支持部９６ａを鉛直方向に曲げることにより配置可能である。
【００６８】
本発明の好適な実施形態を例示すると、次のとおりである。
【００６９】
（１）  起立体（１２、６２、７２、８２、９２）と、起立体（１２、６２、７２、８２、９２）の上端部（１２ａ、６２ａ、７２ａ、８２ａ、９２ａ）に載置される笠材（１４、９４）と、起立体（１２、６２、７２、８２、９２）と笠材（１４、９４）の間に配置される水切り部材（１６、２６、３６、４６、５６、６６、７６、８６、９６）を有し、水切り部材（１６、２６、３６、４６、５６、６６、７６、８６、９６）が、起立体（１２、６２、７２、８２、９２）と笠材（１４、９４）に支持される支持部（１６ａ、２６ａ、３６ａ、４６ａ、５６ａ、６６ａ、７６ａ、８６ａ、９６ａ）と、支持部（１６ａ、２６ａ、３６ａ、４６ａ、５６ａ、６６ａ、７６ａ、８６ａ、９６ａ）に接続された降下部（１６ｂ、２６ｂ、３６ｂ、４６ｂ、５６ｂ、６６ｂ、７６ｂ、８６ｂ、９６ｂ）を有し、降下部（１６ｂ、２６ｂ、３６ｂ、４６ｂ、５６ｂ、６６ｂ、７６ｂ、８６ｂ、９６ｂ）が笠材（１４、９４）から離れて下方に延在していて、笠材（１４、９４）に付着した水（Ｗ）が降下部（１６ｂ、２６ｂ、３６ｂ、４６ｂ、５６ｂ、６６ｂ、７６ｂ、８６ｂ、９６ｂ）を伝って下方に落ちる構成の水切り部材を用いた構造体。
【００７０】
（２）  水切り部材（１６、２６、３６、４６、５６、６６、７６、８６、９６）が、厚さ１ｍｍ以下の薄板で構成されていることを特徴とする前述の水切り部材を用いた構造体。
【００７１】
（３）  水切り部材（１６、２６、３６、４６、５６、６６、７６、８６、９６）が、透明なプラスチック材料からなることを特徴とする前述の水切り部材を用いた構造体。
【００７２】
（４）  降下部（７６ｂ）に切込み（７６ｃ）が入れられることにより支持部（７６ａ）が鉛直方向に曲げられて配置されていることを特徴とする前述の水切り部材を用いた構造体。
【００７３】
（５）  支持部（８６ａ）に切込み（８６ｃ）が入れられることにより降下部（８６ｂ）が水平方向に曲げられて配置されていることを特徴とする前述の水切り部材を用いた構造体。
【００７４】
（６）  支持部（２６ａ、３６ａ）と降下部（２６ｂ、３６ｂ）のなす角度が７０°以上１５０°以下であることを特徴とする前述の水切り部材を用いた構造体。
【００７５】
（７）  支持部（４６ａ、５６ａ）と降下部（４６ｂ、５６ｂ）のなす角度が９０°以上１３５°以下であることを特徴とする前述の水切り部材を用いた構造体。
【００７６】
（８）  降下部（１６ｂ、２６ｂ、３６ｂ、４６ｂ、５６ｂ、６６ｂ、７６ｂ、８６ｂ、９６ｂ）の水平方向における最も外側の端部が、笠材（１４、９４）の水平方向における最も外側の端部より内側に位置することを特徴とする前述の水切り部材を用いた構造体。
【００７７】
（９）  降下部（１６ｂ、２６ｂ、３６ｂ、４６ｂ、５６ｂ、６６ｂ、７６ｂ、８６ｂ、９６ｂ）が、起立体（１２、６２、７２、８２、９２）の前面（１２ｂ）と、笠材（１４、９４）の下面（１４ｃ）と、笠材（１４、９４）に接して笠材（１４、９４）の下面（１４ｃ）に対して５°以上４５°以下の傾斜角を有する平面（１８）とで囲まれる領域（Ａ）内に位置することを特徴とする前述の水切り部材を用いた構造体。
【００７８】
（１０）  起立体（１２、６２、７２、８２、９２）と、起立体（１２、６２、７２、８２、９２）の上端部（１２ａ、６２ａ、７２ａ、８２ａ、９２ａ）に載置される笠材（１４、９４）との間に配置される水切り部材（１６、２６、３６、４６、５６、６６、７６、８６、９６）であって、起立体（１２、６２、７２、８２、９２）と笠材（１４、９４）に支持される支持部（１６ａ、２６ａ、３６ａ、４６ａ、５６ａ、６６ａ、７６ａ、８６ａ、９６ａ）と、支持部（１６ａ、２６ａ、３６ａ、４６ａ、５６ａ、６６ａ、７６ａ、８６ａ、９６ａ）に接続された降下部（１６ｂ、２６ｂ、３６ｂ、４６ｂ、５６ｂ、６６ｂ、７６ｂ、８６ｂ、９６ｂ）を有し、支持部（１６ａ、２６ａ、３６ａ、４６ａ、５６ａ、６６ａ、７６ａ、８６ａ、９６ａ）と降下部（１６ｂ、２６ｂ、３６ｂ、４６ｂ、５６ｂ、６６ｂ、７６ｂ、８６ｂ、９６ｂ）のなす角度が７０°以上１５０°以下である水切り部材。
【００７９】
（１１）  起立体（１２、６２、７２、８２、９２）と、起立体（１２、６２、７２、８２、９２）の上端部（１２ａ、６２ａ、７２ａ、８２ａ、９２ａ）に載置される笠材（１４、９４）との間に配置される水切り部材（１６、２６、３６、４６、５６、６６、７６、８６、９６）であって、起立体（１２、６２、７２、８２、９２）と笠材（１４、９４）に支持される支持部（１６ａ、２６ａ、３６ａ、４６ａ、５６ａ、６６ａ、７６ａ、８６ａ、９６ａ）と、支持部（１６ａ、２６ａ、３６ａ、４６ａ、５６ａ、６６ａ、７６ａ、８６ａ、９６ａ）に接続された降下部（１６ｂ、２６ｂ、３６ｂ、４６ｂ、５６ｂ、６６ｂ、７６ｂ、８６ｂ、９６ｂ）を有し、支持部（１６ａ、２６ａ、３６ａ、４６ａ、５６ａ、６６ａ、７６ａ、８６ａ、９６ａ）と降下部（１６ｂ、２６ｂ、３６ｂ、４６ｂ、５６ｂ、６６ｂ、７６ｂ、８６ｂ、９６ｂ）のなす角度が９０°以上１３５°以下である水切り部材。
【００８０】
（１２）  厚さ１ｍｍ以下の薄板で構成されていることを特徴とする前述の水切り部材。
【００８１】
（１３）  透明なプラスチック材料からなることを特徴とする前述の水切り部材。
【００８２】
（１４）  降下部（７６ｂ）に切込み（７６ｃ）が入れられることにより支持部（７６ａ）が曲げ可能に構成されていることを特徴とする前述の水切り部材。
【００８３】
（１５）  支持部（８６ａ）に切込み（８６ｃ）が入れられることにより降下部（８６ｂ）が曲げ可能に構成されていることを特徴とする前述の水切り部材。
【００８４】
本発明は前述の実施形態や実施例に限定されない。起立体や笠材の形状は任意である。水切り部材の構成も前述のものに限定されない。透明なプラスチック材料の透明度は、種々のものを選択することができる。
【図面の簡単な説明】
【００８５】
【図１】本発明による水切り部材を用いた構造体の一例を示す概略側面図である。
【図２】水切り部材の一例を示す上面図である。
【図３】図２の水切り部材の正面図である。
【図４】図２の水切り部材の側面図である。
【図５】水切り部材の取付状態の一例を示す概略側面図である。
【図６】図１の構造体における水の流れの一例を示す説明図である。
【図７】水切り部材の別の例を示す概略側面図である。
【図８】水切り部材の更に別の例を示す概略側面図である。
【図９】水切り部材の別の例を示す概略側面図である。
【図１０】水切り部材の更に別の例を示す概略側面図である。
【図１１】水切り部材の別の使用例を示す概略正面図である。なお、図１１において笠材は図示省略されている。
【図１２】図１１の水切り部材の概略斜視図である。
【図１３】壁の概略正面図である。
【図１４】水切り部材の概略斜視図である。
【図１５】壁の概略平面図である。
【図１６】水切り部材の概略斜視図である。
【図１７】降下部の位置を説明するための説明図である。
【図１８】水切り部材の更に別の例を示す側断面図である。
【符号の説明】
【００８６】
１０、９０  塀構造（水切り部材を用いた構造体の一例）
１２、９２  塀体（起立体の一例）
１２ａ、９２ａ  塀体の上端部（起立体の上端部）
１２ｂ  塀体の前面（起立体の前面）
１４、９４  笠石（笠材の一例）
１４ａ  笠石の上面（笠材の上面）
１４ｂ  笠石の側面（笠材の側面）
１４ｃ  笠石の下面（笠材の下面）
１６、２６、３６、４６、５６、６６、７６、８６、９６  水切り部材
１６ａ、２６ａ、３６ａ、４６ａ、５６ａ、６６ａ、７６ａ、８６ａ、９６ａ  支持部
１６ｂ、２６ｂ、３６ｂ、４６ｂ、５６ｂ、６６ｂ、７６ｂ、８６ｂ、９６ｂ  降下部
７６ｃ、８６ｃ  切込み
６２  長い壁面
６２ａ  長い壁面の上端部
７２、８２  壁（起立体の一例）
７２ａ、８２ａ  壁の上端部
Ｗ  水
【図１】
2006299555.tif 000003
【図２】
2006299555.tif 000004
【図３】
2006299555.tif 000005
【図４】
2006299555.tif 000006
【図５】
2006299555.tif 000007
【図６】
2006299555.tif 000008
【図７】
2006299555.tif 000009
【図８】
2006299555.tif 000010
【図９】
2006299555.tif 000011
【図１０】
2006299555.tif 000012
【図１１】
2006299555.tif 000013
【図１２】
2006299555.tif 000014
【図１３】
2006299555.tif 000015
【図１４】
2006299555.tif 000016
【図１５】
2006299555.tif 000017
【図１６】
2006299555.tif 000018
【図１７】
2006299555.tif 000019
【図１８】
2006299555.tif 000020